(57)【要約】      （修正有）【課題】既設の乗客コンベアに容易にスピーカを追装備することができるとともに、乗客コンベアに乗り込もうとする乗客を対象として適正な音場を構築することのできる乗客コンベアの放送設備の提供。【解決手段】乗客コンベアの乗り口５付近の左右両側に対称に設けられた不透明パネル１に円状の孔を設け、この円状孔部に照明設備を備えた既設の乗客コンベアにあって、乗客に対して音楽や注意を喚起する音を流すスピーカを追装備する乗客コンベアの放送設備おいて、円状孔部の照明設備の少なくとも片側を取外すとともに、この円状孔部に、スピーカを、このスピーカの発する音が乗り口５先端方向に発せられるよう傾斜して設けた構成としている。【選択図】図１
2006225073.tif 000002
【特許請求の範囲】
【請求項１】
乗客コンベアの乗り口付近の左右両側に対称に設けられた不透明パネルに円状の孔を設け、この円状孔部に照明設備を備えた既設の乗客コンベアにあって、乗客に対して音楽や注意を喚起する音を流すスピーカを追装備する乗客コンベアの放送設備おいて、
前記円状孔部の照明設備の少なくとも片側を取外すとともに、この円状孔部に、前記スピーカを、このスピーカの発する音が前記乗り口先端方向に発せられるよう傾斜して設けたことを特徴とする乗客コンベアの放送設備。
【請求項２】
前記不透明パネルの円状孔部から、この不透明パネルの外側に向って延設されるとともに、前記乗り口先端に向って傾斜する収納体を設け、この収納体内に、この収納体の傾斜に沿って音を発するよう前記スピーカを設けたことを特徴とする請求項1記載の乗客コンベアの放送設備。
【発明の詳細な説明】
【技術分野】
【０００１】
本発明は、乗客に対して音楽や注意を喚起する音を流すスピーカを備えた乗客コンベアの放送設備に関する。
【背景技術】
【０００２】
一般に、乗客に対して音楽や注意を喚起する音を流すスピーカを備えた乗客コンベアの放送設備として、乗り口付近の天井にスピーカを備えたものが用いられているが、この方法では、天井部分に配線が必要となり工事に多大の時間が掛かるばかりか費用も嵩むという問題があった。このため、乗客コンベアの乗り口付近に設けられた不透明パネルに孔を設け、かつ、前記不透明パネルの外側に、乗客に対して音楽や注意を喚起する音を流すスピーカを備えたものが提案されている（例えば、特許文献１参照）。
【０００３】
また、乗降口付近欄干部分に、乗客の足元を照らす円形状の照明設備を有する乗客コンベアも駅などの公共機関を中心に数多く設置されており、このような既設の乗客コンベアにおいて、昨今の利用者の多様化にともない音楽や注意を喚起する音を流すスピーカを追装備する場合は、新たに装備すべき場所を確定させて追加する必要があった。
【特許文献１】特開平４−１１６０８８号（３頁左下段４行目〜１０行目）
【発明の開示】
【発明が解決しようとする課題】
【０００４】
ところで、前述したように既設の乗客コンベアに放送設備であるスピーカを追装備する場合には、新たな設置場所を確定させてスピーカをはじめ関係部品を装備する必要があり、追装備に時間と費用が掛かるという課題があった。
【０００５】
また、前記提案されている不透明パネルの外側に、乗客に対して音楽や注意を喚起する音を流すスピーカを備えたものにあっては、スピーカが孔に近接して不透明パネル外側に設けられているため、このスピーカから出る音は不透明パネル側方に向って発せられる。このため、スピーカ近傍を通過する乗客には聞こえるが、乗客コンベアに乗り込もうとする乗客には聞き取りにくいという問題があった。一方、乗客コンベアに乗り込もうとする乗客に聞こえるようにボリュームを上げるとスピーカ近傍を通過する乗客に多大の不快感を与えてしまうという問題があった。
【０００６】
本発明は、上述した従来技術における実状からなされたもので、その目的は、既設の乗客コンベアに容易にスピーカを追装備することができるとともに、乗客コンベアに乗り込もうとする乗客を対象として適正な音場を構築することのできる乗客コンベアの放送設備を提供することにある。
【課題を解決するための手段】
【０００７】
前記目的を達成するために、本発明は、乗客コンベアの乗り口付近の左右両側に対称に設けられた不透明パネルに円状の孔を設け、この円状孔部に照明設備を備えた既設の乗客コンベアにあって、乗客に対して音楽や注意を喚起する音を流すスピーカを追装備する乗客コンベアの放送設備おいて、前記円状孔部の照明設備の少なくとも片側を取外すとともに、この円状孔部に、前記スピーカを、このスピーカの発する音が前記乗り口先端方向に発せられるよう傾斜して設けたことを特徴としている。
【０００８】
このように構成した請求項１に係る発明では、設置済みの乗客コンベアの照明設備を利用して、放送用のスピーカを設けることから、既設の乗客コンベアに容易に放送設備を追装備することが可能となる。また、スピーカは乗り口先端方向に傾斜して設けられることにより、乗客コンベアに乗り込もうとした乗客を対象として指向性が確保され、したがって、スピーカ近傍を通過する乗客に不快感を与えるような音量を要することなく、乗客コンベアに乗り込もうとする乗客に適度な音を提供することができる。
【０００９】
また、請求項２に係る発明は、前記不透明パネルの円状孔部から、この不透明パネルの外側に向って延設されるとともに、前記乗り口先端に向って傾斜する収納体を設け、この収納体内に、この収納体の傾斜に沿って音を発するよう前記スピーカを設けた
前記のように構成した請求項２に係る発明では、乗客コンベアの乗り口先端に向って傾斜する収納体内に、この収納体の傾斜に沿って音を発するよう前記スピーが設けられているため、音は指向性をもってまさに乗り込もうとする乗客向って発せられ、乗客コンベアに乗り込もうとする乗客に適度な音を提供することができる。
【発明の効果】
【００１０】
本発明によれば、設置済みの乗客コンベアの照明設備を利用して、放送用のスピーカを収納することから既設の乗客コンベアに容易に放送設備を追装備することが可能となる。また、スピーカ近傍を通過する乗客に不快感を与えるような音量を要することなく、乗客コンベアに乗り込もうとする乗客に適度な音を提供することができる。
【発明を実施するための最良の形態】
【００１１】
以下、本発明に係る乗客コンベアの放送設備の実施形態を図に基づいて説明する。
【００１２】
図１は本発明の乗客コンベアの放送設備の一実施形態を示す側面図、図２は図１のＡ−Ａ断面図、図３は設置済みの乗客コンベアの照明設備部を示す側面図で図１相当図である。
【００１３】
図１において、１は乗客コンベアの乗り口付近の左右両側に対称に設けられた不透明パネルで、デッキボード２によって支持されている。３は踏段（図示せず）と同期して駆動するハンドレール、４は内デッキ、５は乗り口、６は不透明パネル１の片側の中央部に設けられた孔で、この孔６の内側にはこの孔６を塞ぐメッシュボード７が設けられている。図２に示す８は乗客コンベアの乗り口５先端に向って傾斜するよう不透明パネル１の外側に設けられた収納体で、この収納体８内に、この収納体８の傾斜に沿って音を発するようスピーカ９が傾斜して設けられている。ここで、スピーカ９等は図３に示す設置済みの乗客コンベアの照明設備１０部分に設けられ、その乗降口の両側に設けられている円状の照明設備１０の片側を取り外して、代わりに、前述のごとく円状の孔６部を利用して図１や図２に示すようにスピーカ９を中心とした放送設備を組込んだものである。
【００１４】
本実施形態によれば、スピーカ９は不透明パネル１の側方ではなく、乗客コンベアの乗り口５先端に向けて音を発するため、まさに乗客コンベアに乗り込もうとした乗客に適正に聞こえるように発せられる。したがって、スピーカ９近傍を通過する乗客に不快感を与えるような音量を要することなく、乗客コンベアに乗り込もうとする乗客に適度な音を提供することができる。また、乗客コンベアの乗り口５先端に向って傾斜する収納体８内に、この収納体８の傾斜に沿って音を発するようスピーカ９が設けられているため、音は指向性をもってまさに乗り込もうとする乗客向って発せられ、乗客コンベアに乗り込もうとする乗客に適度な音を提供することができる。
【図面の簡単な説明】
【００１５】
【図１】本発明の一実施形態に係る乗客コンベアの放送設備を示す側面図である。
【図２】図１のＡ−Ａ断面図である。
【図３】設置済みの乗客コンベアの照明設備部を示す側面図で図１相当図である。
【符号の説明】
【００１６】
１    不透明パネル
２    デッキボード
３    ハンドレール
４    内デッキ
５    乗り口
６    孔
７    メッシュボード
８    収納体
９    スピーカ
１０  照明設備
【図１】
2006225073.tif 000003
【図２】
2006225073.tif 000004
【図３】
2006225073.tif 000005